(57)【要約】【課題】  シュラウド面からの風の剥離を効果的に防止して、騒音の低減と送風効率の向上とを図った送風機を提供する。【解決手段】  ハブ２と、ハブ２の外周に放射状に設置された複数のブレード３と、ブレード３を間においてハブ２とは反対側に設けられかつ複数のブレード３に結合されたシュラウド４とを備える。シュラウド４は、内面が湾曲して形成されるとともに、その湾曲部の中腹部におけるブレード３の低圧面側に、シュラウド面からの風の剥離を防止するための突起５、５ａを具備する。【選択図】        図２
2005240702.tif 000002
【特許請求の範囲】
【請求項１】
ハブと、前記ハブの外周に放射状に設置された複数のブレードと、前記ブレードを間において前記ハブとは反対側に設けられかつ前記複数のブレードに結合されたシュラウドとを備え、前記シュラウドは、内面が湾曲して形成されるとともに、その湾曲部の中腹部におけるブレードの低圧面側に突起を具備することで、この突起よりも後流側の位置において空気流をシュラウド面に付着させてその剥離を防止するようにしたことを特徴とする送風機。
【請求項２】
突起が断面半円形状に形成されていることを特徴とする請求項１記載の送風機。
【請求項３】
突起は、断面翼形に形成されるとともに、前記翼形の断面における高さの最大部が弦長の中央よりも空気流の上流側に位置した、押し出し形状に形成されていることを特徴とする請求項１記載の送風機。
【発明の詳細な説明】
【技術分野】
【０００１】
本発明は送風機に関し、特に遠心式のインペラにより構成されて空調機などに使用される送風機に関するものである。
【背景技術】
【０００２】
従来、この種の送風機は、ハブとシュラウドとの間に複数のブレードを設けた構成となっており、シュラウドにその周方向に沿ってブレード低圧面から高圧面かけてファン風路が増加するような凹凸を付けることで、ブレード低圧面においてシュラウドからの風の剥離を防止して、騒音の低減と送風効率の向上とを図ることを目的としている（例えば、特許文献１参照）。
【０００３】
図５、図６は特許文献１に記載された従来の送風機１を示すものである。図５および図６に示すように、ハブ２とシュラウド４との間に複数のブレード３を配置し、シュラウド４には、その周方向に沿って、ブレード低圧面から高圧面かけてファン風路が増加するような凹凸６を付けている。これにより騒音の低減と送風効率の向上とを図ろうとするものであるが、このような構成では、図示のようにブレード３の低圧面から乱れの大きい風が吹き出すことが避けられない。
【特許文献１】特開２００１−２６３２９４号公報
【発明の開示】
【発明が解決しようとする課題】
【０００４】
すなわち、前記従来の構成では、ブレード３の低圧面からの空気の剥離は、シュラウド４を階段状に形成して剥離領域を小さくすることで低減できるが、ブレード３の低圧面からの剥離を根本的に防止したものでないため、剥離が完全に無くなることがなく、したがって上記のような乱れの大きな風の噴出しが避けられないという課題を有していた。
【０００５】
本発明は、前記従来の課題を解決するもので、シュラウド面からの風の剥離を効果的に防止して、騒音の低減と送風効率の向上とを図った送風機を提供することを目的とする。
【課題を解決するための手段】
【０００６】
前記課題を解決するために、本発明の送風機は、シュラウドの内面が湾曲して形成されるとともに、その湾曲部の中腹部におけるブレードの低圧面側に突起を具備することで、この突起よりも後流側の位置において空気流をシュラウド面に付着させてその剥離を防止するようにしたものである。
【０００７】
これによって、シュラウド面からの風の剥離を防止し、騒音の低減と送風効率の向上とを達成する。
また、本発明の送風機は、上記において、突起が断面半円形状に形成されたものである。
【０００８】
これによって、シュラウド面からの風の剥離を防止し、騒音の低減と送風効率の向上とを達成する。
また、本発明の送風機は、上記において、突起は、断面翼形に形成されるとともに、前記翼形の断面における高さの最大部が弦長の中央よりも空気流の上流側に位置した、押し出し形状に形成されたものである。
【０００９】
これによって、突起後流が整流され、さらなる騒音の低減と送風効率の向上とを達成する。
【発明の効果】
【００１０】
上記のように、本発明の送風機は、騒音の低減と送風効率の向上とを達成することができる。
【発明を実施するための最良の形態】
【００１１】
第１の本発明は、ハブと、前記ハブの外周に放射状に設置された複数のブレードと、前記ブレードを間において前記ハブとは反対側に設けられかつ前記複数のブレードに結合されたシュラウドとを備え、前記シュラウドは、内面が湾曲して形成されるとともに、その湾曲部の中腹部におけるブレードの低圧面側に突起を具備することで、この突起よりも後流側の位置において空気流をシュラウド面に付着させてその剥離を防止するようにしたことにより、シュラウド面からの風の剥離を防止することとなり、騒音を低減することができるのみならず、送風効率を向上することができる。
【００１２】
第２の本発明は、突起が断面半円形状に形成されていることにより、シュラウド面からの風の剥離を防止し、騒音の低減と送風効率の向上とを図ることができる。
第３の本発明は、突起が、断面翼形に形成されるとともに、前記翼形の断面における高さの最大部が弦長の中央よりも空気流の上流側に位置した、押し出し形状に形成されていることにより、突起後流が整流され、さらなる騒音の低減と送風効率の向上とを図ることができる。
【００１３】
以下、本発明の実施の形態について、図面を参照しながら説明する。なお、この実施の形態によって本発明が限定されるものではない。
（実施の形態１）
図１および図２は、本発明の実施の形態１の送風機１の概略を示すものである。
【００１４】
図１および図２に示す送風機１は、ハブ２と、ハブ２の外周に放射状に設置された複数のブレード３と、ブレード３を間においてハブ２とは反対側に設けられかつブレード３に結合されたシュラウド４とを備える。シュラウド４は、内面が湾曲して形成されるとともに、その湾曲部の中腹部におけるブレード３の低圧面側に、半円形状の断面を有する突起５を具備する。
【００１５】
以上のように構成された送風機１について、以下その動作、作用を説明する。
シュラウド４が、湾曲部の中腹部におけるブレード３の低圧面側に、半円形状の断面を有する突起５を具備することにより、シュラウド４面から剥離しようとする流れを突起５に衝突させる。これにより、空気流に添った突起５よりも後ろの位置では、この空気流はシュラウド４面に付着して流れ、その剥離が防止される。これは、物体の後流はその壁面に付着するという現象を利用したものである。
【００１６】
以上のように、本実施の形態１においては、シュラウド４の内面の湾曲部の中腹部におけるブレード３の低圧面側に、半円形状の断面を有する突起５を具備することにより、シュラウド４面からの風の剥離を防止可能となり、騒音の低減と送風効率向上とを図ることができる。
【００１７】
（実施の形態２）
図３および図４は、本発明の実施の形態２の送風機の要部を拡大して示すものである。
図３および図４に示す送風機１は、ハブ２と、ハブ２の外周に放射状に設置された複数のブレード３と、ブレード３を間においてハブ２とは反対側に設けられかつブレード３に結合されたシュラウド４とを備える。シュラウド４は、内面が湾曲して形成されるとともに、その湾曲部の中腹部におけるブレード３の低圧面側に、突起５ａを具備する。この突起５ａは、断面翼形に形成されて、その翼形の断面における高さの最大部ａが弦長ｂの中央よりも空気流の上流側に位置した、押し出し形状とされている。
【００１８】
以上のように構成された送風機１について、以下その動作、作用を説明する。
すなわち、突起５ａの断面形状を高さの最大部ａが弦長ｂの中央よりも空気流の上流側すなわち突起５ａの前縁側となる形状とされていることにより、突起５ａにスムーズに流れが付着する。これにより、突起５ａの後流が整流される。
【００１９】
以上のように、本実施の形態２においてはシュラウド４の湾曲部の中腹部におけるブレード３の低圧面側に、断面翼形に形成されて、その翼形の断面における高さの最大部ａが弦長ｂの中央よりも空気流の上流側に位置した突起５ａを設けたことにより、この突起５ａの後流が整流され、騒音の低減と送風効率の向上とを図ることができる。
【産業上の利用可能性】
【００２０】
以上のように、本発明にかかる送風機は、騒音の低減と送風効率の向上とが可能となるので、遠心式のインペラにより構成されて空調機などに使用される送風機として有用である。
【図面の簡単な説明】
【００２１】
【図１】本発明の実施の形態１の送風機の概略斜視図
【図２】図１の送風機の要部の縦断面図
【図３】本発明の実施の形態２の送風機の要部の拡大図
【図４】図３の送風機の要部の縦断面図
【図５】従来の送風機の概略斜視図
【図６】図５の送風機の要部の横断面図
【符号の説明】
【００２２】
１    送風機
２    ハブ
３    ブレード
４    シュラウド
５    突起
５ａ  突起
【図１】
2005240702.tif 000003
【図２】
2005240702.tif 000004
【図３】
2005240702.tif 000005
【図４】
2005240702.tif 000006
【図５】
2005240702.tif 000007
【図６】
2005240702.tif 000008